(57)【要約】【課題】通話中における受話音量、送話音量を、良好な受話音量、送話音量に調整することができる通話装置を提供すること。【解決手段】図５（ａ）に示す状態を基本状態とし、図５（ａ）に示す状態から図５（ｂ）に状態に子機の姿勢が変化した場合、子機に設けられているタッチパネル４０によって顔との接触位置がスピーカ４２側に移動したことが検出され、マイクロホン４１の集音レベルが上げられると共に、スピーカ４２の放音レベルが下げられる。よって、スピーカ４２が耳に近づいても放音レベルが下げられるので、スピーカ４２から発音される受話音量を、図５（ａ）に示す状態と同様の音量に調整することができる。また、マイクロホン４１が口から離れても集音レベルが上げられるので、外部装置へ送信する送話音量を図５（ａ）に示す状態と同様の音量に調整することができる。【選択図】図５
2010154407.tif 000002
【特許請求の範囲】
【請求項１】
筐体と、その筐体に穿設されている放音口から通話相手の音声を設定された放音レベルで放音する放音手段と、前記筐体に穿設されている集音口から通話相手に送信する音声を設定された集音レベルで集音する集音手段とを備えた通話装置において、
前記通話相手が使用する通話装置と回線が閉結されている間に、前記放音口と前記集音口とに挟まれている前記筐体の所定領域を検出領域として、その検出領域に対する顔の接近状態または接触状態を検出する検出手段と、
前記接近状態または接触状態のうち任意の状態を基本状態として記憶する基本状態記憶手段と、
その基本状態記憶手段に記憶されている基本状態に対して前記検出手段によって検出される状態の変化を取得する状態変化取得手段と、
前記放音レベルの調整量を、前記状態の変化に対応付けて決定し、前記集音レベルの調整量を、前記状態の変化に対応付けて決定するレベル調整量決定手段と、
前記状態変化取得手段が前記状態の変化を取得した場合に、前記放音レベルの調整量と前記放音レベルの調整量とを前記レベル調整量決定手段に決定させ、前記設定された放音レベルを決定された前記放音レベル調整量に従い調整し、前記設定された集音レベルを決定された前記集音レベル調整量に従い調整する制御を行う制御手段とを備えていることを特徴とする通話装置。
【請求項２】
前記状態変化取得手段は、前記顔が接近している、または、接触していると検出される領域の変化を、前記状態の変化として検出し、
前記レベル調整量決定手段は、下記条件１乃至８のうち少なくとも１つの条件に従って前記放音レベルの調整量と前記放音レベルの調整量とを決定することを特徴とする請求項１に記載の通話装置。
条件１：検出される領域の大きさは略同一のまま、その位置が前記集音口に向かって移動した場合には、集音レベルを下げ、前記放音レベルを上げる
条件２：検出される領域の大きさは略同一のまま、その位置が前記放音口に向かって移動した場合には、前記集音レベルを上げ、前記放音レベルを下げる
条件３：検出される領域の大きさが前記集音口に向かって増加した場合には、前記集音レベルを下げる
条件４：検出される領域の大きさが前記放音口に向かって増加した場合には、前記放音レベルを下げる
条件５：検出される領域の大きさが前記集音口に向かって増加し、その位置が前記集音口に向かって移動した場合には、前記集音レベルを下げ、前記放音レベルを上げる
条件６：検出される領域の大きさが前記放音口に向かって増加し、その位置が前記放音口に向かって移動した場合には、前記集音レベルを上げ、前記放音レベルを下げる
条件７：検出される領域の大きさが減少し、その位置が前記集音口に向かって移動した場合には、前記集音レベルを下げ、前記放音レベルを上げる
条件８：検出される領域の大きさが減少し、その位置が前記放音口に向かって移動した場合には、前記集音レベルを上げ、前記放音レベルを下げる
【請求項３】
前記状態の変化を示す複数の変化パターンと、その複数の変化パターンの各々に対応つけて前記放音レベルの調整量、または／及び、前記集音レベルの調整量とを記憶する変化パターン記憶手段を備え、
その変化パターン記憶手段に記憶されている複数の変化パターンから前記状態変化取得手段によって取得される状態の変化と同一、又は、近似した変化パターンを特定する特定手段とを備え、
前記レベル調整量決定手段は、前記特定手段によって特定された変化パターンに対応つけて前記変化パターン記憶手段に記憶されている前記放音レベルの調整量、または／及び、前記集音レベルの調整量を決定することを特徴とする請求項１又は２に記載の通話装置。
【請求項４】
前記筐体を把持することなく前記通話相手と通話可能なハンズフリーモードを備え、
前記制御手段は、前記検出手段によって前記検出領域に対する顔の接近状態または接触状態が検出されなかった場合に前記ハンズフリーモードに切替えるように制御することを特徴とする請求項１から３のいずれかに記載の通話装置。
【請求項５】
前記検出領域に重ねて所定の画像を表示する表示手段を備え、
前記検出手段は、前記表示手段に表示される所定の画像に対して指示体が接近または接触したことを検出することを特徴とする請求項１から４のいずれかに記載の通話装置。
【請求項６】
前記検出手段によって所定の接近状態または所定の接触状態が所定時間以上維持されたかを判断する状態判断手段を備え、
前記基本状態記憶手段は、前記状態判断手段によって所定時間以上維持されたと判断された所定の接近状態または所定の接触状態を、前記基本状態として記憶することを特徴とする請求項１から５のいずれかに記載の通話装置。
【発明の詳細な説明】
【技術分野】
【０００１】
本発明は、通話装置に関するものである。
【背景技術】
【０００２】
次の特許文献１には、通話装置に含まれる移動体通信装置１０に関し、その移動体通信装置１０にアレイセンサ１３０を設け、そのアレイセンサ１３０を使用してユーザの口からマイクロホン１４０の距離を検知し、マイクロホン１４０の性能が口から離れることで低下するのを補償すること。また、アレイセンサ１３０を使用してユーザの耳からスピーカ１５０の距離を検知し、スピーカ１５０の性能が耳から離れることで低下するのを補償することが記載されている。  
【特許文献１】特表２００５−５２８８４５（段落第「００１７」、図１，３等）
【発明の開示】
【発明が解決しようとする課題】
【０００３】
しかしながら、上述した特許文献１では、次のような問題点があった。例えば、周囲の雑音が大きい場所で通話する場合に、通常よりもマイクロホン１４０を口に近づけてから通話を開始したにもかかわらず、通常よりもマイクロホン１４０の性能が下げられてしまい、送話音量が必要以上に小さくなるという問題点があった。
【０００４】
また、別の例では、話し声が大きい通話相手と通話する場合に、スピーカ１５０を耳から離してから通話を開始したにもかかわらず、通常よりもスピーカ１５０の性能が上げられてしまい、受話音量が必要以上に大きくなるという問題点があった。
【０００５】
本発明は、上述したような問題点のない良好な受話音量、送話音量の調整をすることができる通話装置を提供することを目的としている。
【課題を解決するための手段】
【０００６】
この目的を達成するために、本願発明の通話装置は、筐体と、その筐体に穿設されている放音口から通話相手の音声を設定された放音レベルで放音する放音手段と、前記筐体に穿設されている集音口から通話相手に送信する音声を設定された集音レベルで集音する集音手段とを備えたものであって、前記通話相手が使用する通話装置と回線が閉結されている間に、前記放音口と前記集音口とに挟まれている前記筐体の所定領域を検出領域として、その検出領域に対する顔の接近状態または接触状態を検出する検出手段と、前記接近状態または接触状態のうち任意の状態を基本状態として記憶する基本状態記憶手段と、その基本状態記憶手段に記憶されている基本状態に対して前記検出手段によって検出される状態の変化を取得する状態変化取得手段と、前記放音レベルの調整量を、前記状態の変化に対応付けて決定し、前記集音レベルの調整量を、前記状態の変化に対応付けて決定するレベル調整量決定手段と、前記状態変化取得手段が前記状態の変化を取得した場合に、前記放音レベルの調整量と前記放音レベルの調整量とを前記レベル調整量決定手段に決定させ、前記設定された放音レベルを決定された前記放音レベル調整量に従い調整し、前記設定された集音レベルを決定された前記集音レベル調整量に従い調整する制御を行う制御手段とを備えている。
【発明の効果】
【０００７】
請求項１記載の通話装置によれば、任意の筐体の姿勢を基本状態とし、その基本状態から通話途中で筐体の姿勢が変化しても、基本状態における良好な受話音量、送話音量に調整することができるという効果がある。
【０００８】
請求項２記載の通話装置によれば、基本状態と、変化後の状態との受話音量、送話音量が同様になるように、放音レベルの調整量、集音レベルの調整量を決定することができるという効果がある。また、検出領域を放音口周辺と集音口周辺とに設置することなく、放音口に対する耳の接近、接触状態の変化、集音口に対する口の接近、接触状態の変化を検出することができるという効果がある。
【０００９】
請求項３記載の通話装置によれば、基本状態と、変化後の状態との受話音量、送話音量が同様になるように、放音レベルの調整量、集音レベルの調整量を簡単に決定することができるという効果がある。
【００１０】
請求項４記載の通話装置によれば、通話中に検出領域に対する顔の接近状態または接触状態が検出されなかった場合には、筐体を把持することなく通話相手と通話可能なハンズフリーモードに切替えられる。例えば、放音口を押し当てる耳を替えるような場合には、通話中であっても検出領域に対する顔の接近状態または接触状態が検出されなくなるが、この場合にハンズフリーモードに切替えることで、漏れなく通話を継続することができるという効果がある。
【００１１】
請求項５記載の通話装置によれば、検出領域に対する顔の接近状態または接触状態と、表示手段に表示される所定の画像に対する指示体の接近または接触とを兼用して検出することができるという効果がある。
【００１２】
請求項６記載の通話装置によれば、通話途中で筐体の姿勢が変化しても、その変化後の姿勢における送話音量、受話音量を、基本状態における良好な送話音量、受話音量に調整することができるという効果がある。
【発明を実施するための最良の形態】
【００１３】
以下、本発明の好ましい実施形態について、添付図面を参照して説明する。図１で通話装置の外観構成、図２〜図３で通話装置のハードウェア構成、図４〜図５で通話中に変化する（後述する）接近パターンの一例、図６〜図７で通話時に実行する通話処理を説明する。
【００１４】
図１は、本発明の通話装置の一例である子機３１と、その子機３１の親機を有する多機能周辺装置（以下、「ＭＦＰ（Ｍｕｌｔｉ  Ｆｕｎｃｔｉｏｎ  Ｐｅｒｉｐｈｅｒａｌ）」と称す）１との外観構成を示した斜視図である。
【００１５】
まず、ＭＦＰ１（親機）の外観構成について説明する。ＭＦＰ１は、電話機能の他に各種機能を有しており、電話機能による通話などを行うために電話回線網１００（図２参照）と接続されている。
【００１６】
次に、子機３１の外観構成について説明する。子機３１の筐体４９の前面には、ＬＣＤ３９が設けられており、このＬＣＤ３９の表示面には、入力装置の一種であるタッチパネル４０が配設されている。ＬＣＤ３９には、子機３１の操作手順や、通話の状態や、電話番号を入力するための数字ボタンなどが表示される。
【００１７】
ＬＣＤ３９に表示されている画像が、ユーザによって指で触れられると、ＬＣＤ３９の表示面に配設されたタッチパネル４０が指で触れられることになる。タッチパネル４０では、指の接触（又は接近）が検出されたら、その触れられた（接近された）位置が特定される。ＣＰＵ３２（図２参照）は、タッチパネル４０により検出された指の位置に応じて、その指の位置に表示されている画像に対応する各処理を実行する。
【００１８】
本実施形態では、各種方式（抵抗膜方式や、赤外線方式など）があるタッチパネルの中で、投影型静電容量方式のタッチパネルを用いている。静電容量方式のタッチパネルとは、指先とタッチパネルとが接近（又は接触）した場合に、指とタッチパネルとが静電結合して、指とタッチパネルとの間の静電容量が変化することを利用したものである。静電容量方式のタッチパネルでは、この静電容量の変化を検出するので、指がタッチパネルに接触しているかに加えて、指がタッチパネルに接近していることも検出できる。
【００１９】
また、投影型とは、タッチパネル４０内の静電容量の変化を複数箇所で同時に検出するために、指などの接触（又は接近）を検出する領域を、例えば碁盤の目のように細かく区分けし、各領域毎に指の接近（又は接触）を検出する電極パターンを配設したものである。
【００２０】
詳細については後述するが、本実施形態では、通話中に、タッチパネル４０内のどの位置にユーザの顔が接近（又は接触）しているかを検出する。上述した接近パターンとは、具体的には、タッチパネル４０によって接近（又は接触）が検出されている領域のことである。特に、通話中にタッチパネル４０によって検出される接近パターンのことを、通話中接近パターンと称する。
【００２１】
子機３１の筐体４９の前面であって、ＬＣＤ３９、タッチパネル４０の下方には、マイクロホン４１（マイクロホン４１の集音口）が設けられている。マイクロホン４１は、入力された音を音信号に変換して出力するものである。ＭＦＰ１が電話回線網１００（図２参照）を介して外部装置（非図示）と通話可能に接続されている場合、ユーザは子機３１を用いて外部装置（非図示）との間で通話を行うことができる。
【００２２】
ユーザから発せられる音声は、このマイクロホン４１によって音信号に変換され、無線通信３００を介してＭＦＰ１（親機）へ送信される。なお、外部装置（非図示）と通話可能に接続されている場合は、その後、電話回線網１００を介して外部装置（非図示）へと送信される。
【００２３】
また、子機３１の筐体４９の前面であって、ＬＣＤ３９，タッチパネル４０の上方には、スピーカ４２（スピーカ４２の放音口）が設けられている。スピーカ４２は、入力された音信号を音に変換して発音するものであり、エラー発生時の注意音や、電話回線網１００を介した外部装置（非図示）からの着呼に応じた呼出音や、外部装置（非図示）から送信されてくる音信号に基づく音声などが発音される。なお、外部装置（非図示）から送信されてくる音信号に基づく音声などは、設定された音量に調整された後に、スピーカ４２から発音される。
【００２４】
次に、図２を参照して、ＭＦＰ１（親機）および子機３１の電気的構成について説明する。ＭＦＰ１は、ＣＰＵ１１、ＲＯＭ１２、ＲＡＭ１３、無線通信制御回路１９、ＮＣＵ２６などを主に有している。
【００２５】
ＣＰＵ１１、ＲＯＭ１２、ＲＡＭ１３は、バスライン２８を介して互いに接続されている。また、無線通信制御回路１９、ＮＣＵ２６、バスライン２８などは、入出力ポート２９を介して互いに接続されている。
【００２６】
ＣＰＵ１１は、ＲＯＭ１２やＲＡＭ１３に記憶される固定値やプログラム或いは、無線通信制御回路１９またはＮＣＵ２６を介して送受信される各種信号に従って、ＭＦＰ１が有している各機能の制御や、入出力ポート２９と接続された各部を制御するものである。
【００２７】
ＲＯＭ１２は、ＭＦＰ１で実行される制御プログラムなどを格納した書換不能なメモリである。ＲＡＭ１３は、書換可能な揮発性のメモリであり、ＭＦＰ１の各操作の実行時に各種のデータを一時的に記憶するためのメモリである。
【００２８】
無線通信制御回路１９は、無線通信用アンテナ２０を有しており、子機３１の無線通信制御回路３７との間で無線通信３００を実行し、子機３１との間でデータ通信や、音信号などの送受信を可能にする既知の回路である。
【００２９】
ＮＣＵ２６は、電話回線網１００と接続されており、電話回線網１００へのダイヤル信号の送出や、電話回線網１００からの呼出信号の応答などの制御を行うものである。
【００３０】
次に、子機３１の電気的構成について説明する。子機３１は、ＣＰＵ３２、ＲＯＭ３３、ＲＡＭ３４、無線通信制御回路３７、ＬＣＤ３９、タッチパネル４０、マイクロホン４１、スピーカ４２とを主に有している。ＣＰＵ３２、ＲＯＭ３３、ＲＡＭ３４、無線通信制御回路３７、ＬＣＤ３９、タッチパネル４０、マイクロホン４１、スピーカ４２は、バスライン４５を介して互いに接続されている。
【００３１】
ＣＰＵ３２は、ＲＯＭ３３やＲＡＭ３４に記憶される固定値やプログラム或いは、無線通信制御回路３７を介して送受信される各種信号に従って、バスライン４５により接続された各部を制御するものである。ＲＯＭ３３は、子機３１で実行される各種の制御プログラムを記憶する書換不能なメモリである。後述する図６のフローチャートに示す通話処理、図７のフローチャートに示す基準接近パターン決定処理を実行する各プログラムは、このＲＯＭ３３に格納されている。
【００３２】
また、このＲＯＭ３３には、基準接近パターン登録メモリ３３ａと、パターン変化対応処理テーブルメモリ３３ｂとが設けられている。
【００３３】
ここで、図３〜図５を参照して、パターン変化対応処理テーブルについて説明する。図３は、パターン変化対応処理テーブルの内容の一例を示す概略図である。なお、図３に示すパターン変化対応処理テーブルには、「備考」という項目を記載しているが、これは説明を分かり易くするために記載したものであり、本発明の制御とは関係のないものである。また、図３に記載されている「マイク」とは「マイクロホン４１の集音口」、「スピーカ」とは「スピーカ４２の放音口」を意味している。
【００３４】
パターン変化対応処理テーブルは、基準接近パターンを基準として、基準接近パターンと通話中接近パターンとを比較した場合の比較結果（接近パターンの変化内容）と、その比較結果となった場合に実行する処理とが対応づけられているテーブルである。
【００３５】
例えば、図３に示すように、「マイク方向に近づいた」という比較結果には、「集音レベルを下げる、放音レベルを上げる」という処理が対応づけられている。また、「マイク方向に面積が増加した」という比較結果には、「集音レベルを下げる」という処理が対応づけられている。その他の比較結果についての説明も同様となるので、その説明を省略する。
【００３６】
次に、図４および図５を参照して、上述したパターン変化対応処理テーブルがどのように参照されるかの概略を説明する。図４および図５は、基準接近パターンの一例と、通話中接近パターンの一例とを説明するための概略図である。なお、図中におけるハッチング部分は、タッチパネル４０によって接近（又は接触）が検出されている領域（接近パターン）を示している。
【００３７】
まず、図４を参照して、子機３１のマイクロホン４１がユーザの口に近づく場合について説明する。図４（ａ）は、基準接近パターンの一例を示しており、図４（ｂ）〜（ｅ）は、通話中接近パターンの一例を示している。
【００３８】
詳細については後述するが（図６参照）、通話中に基準接近パターンが決定されると、その後は通話が終了するまで、基準接近パターンを基準として、基準接近パターンと通話中接近パターンとの比較が繰り返される。そして、比較結果が取得される度に、パターン変化対応処理テーブルが参照されて、取得された比較結果に対応づけられている処理が実行される。
【００３９】
例えば、図４（ａ）に示す状態から、図４（ｂ）に示すように、子機３１のマイクロホン４１がユーザの口に近づけられ、スピーカ４２からユーザの耳が離されると、通話中接近パターンがマイクロホン４１方向に近づく。よって、この場合は、基準接近パターンとの比較結果が「マイク方向に近づいた」と判定される。
【００４０】
すると、パターン変化対応処理テーブル（図３参照）が参照されて、「マイク方向に近づいた」という比較結果に対応づけられている処理が実行される。即ち、ここでは、集音レベルが下げられると共に、放音レベルが上げられる。
【００４１】
よって、図４（ａ）に示す状態から、図４（ｂ）に示すように、子機３１のマイクロホン４１がユーザの口に近づけられても、集音レベルが下げられるので、外部装置（非図示）へ送信する送話音量を、図４（ａ）に示す状態と同様になるように調整することができる。また、子機３１のスピーカ４２からユーザの耳が離されても、放音レベルが上げられるので、ユーザはスピーカ４２から発音される受話音量を、図４（ａ）に示す状態と同様の音量で聞き取り続けることができる。
【００４２】
以下同様に、例えば、図４（ａ）に示す状態から、図４（ｃ）に示すように、子機３１のマイクロホン４１がユーザの口に押しつけられると、基準接近パターンとの比較結果が「マイク方向に面積が増加した」と判定され、集音レベルが下げられる。
【００４３】
また、図４（ａ）に示す状態から、図４（ｄ）に示すように、子機３１のマイクロホン４１がユーザの口に近づけられ押しつけられると、集音レベルが大きく下げられる。そして、子機３１のマイクロホン４１がユーザの口に近づけられ押しつけられた結果、子機３１のスピーカ４２からユーザの耳が離れ、放音レベルが上げられる。
【００４４】
また、図４（ａ）に示す状態から、図４（ｅ）に示すように、子機３１のマイクロホン４１がユーザの口に近づけられると、集音レベルが下げられる。そして、子機３１のマイクロホン４１がユーザの口に近づけられた結果、子機３１のスピーカ４２からユーザの耳が遠くに離れ、放音レベルが大きく上げられる。
【００４５】
次に、図５を参照して、子機３１のスピーカ４２がユーザの耳に近づく場合について説明する。図５（ａ）は、基準接近パターンの一例を示しており、図５（ｂ）〜（ｅ）は、通話中接近パターンの一例を示している。なお、図５（ａ）および図４（ａ）では、それぞれ異なる基準接近パターンの一例を示している。
【００４６】
例えば、図５（ａ）に示す状態から、図５（ｂ）に示すように、子機３１のスピーカ４２がユーザの耳に近づけられ、子機３１のマイクロホン４１からユーザの口が離されると、通話中接近パターンがスピーカ４２方向に近づくため、基準接近パターンとの比較結果が「スピーカ方向に近づいた」と判定される。
【００４７】
すると、パターン変化対応処理テーブル（図３参照）が参照されて、「スピーカ方向に近づいた」という比較結果に対応づけられている処理が実行される。即ち、ここでは、集音レベルが上げられると共に、放音レベルが下げられる。
【００４８】
よって、図５（ａ）に示す状態から、図５（ｂ）に示すように、子機３１のスピーカ４２がユーザの耳に近づけられても、放音レベルが下げられるので、ユーザはスピーカ４２から発音される受話音量を、図５（ａ）に示す状態と同様の音量で聞き取り続けることができる。また、子機３１のマイクロホン４１からユーザの口が離されても、集音レベルが上げられるので、外部装置（非図示）へ送信する送話音量を図５（ａ）に示す状態と同様の音量に調整することができる。
【００４９】
以下同様に、例えば、図５（ａ）に示す状態から、図５（ｃ）に示すように、子機３１のスピーカ４２がユーザの耳に押しつけられると、基準接近パターンとの比較結果が「スピーカ方向に面積が増加した」と判定され、放音レベルが下げられる。
【００５０】
また、図５（ａ）に示す状態から、図５（ｄ）に示すように、子機３１のスピーカ４１がユーザの耳に近づけられ押しつけられると、放音レベルが大きく下げられる。そして、子機３１のスピーカ４１がユーザの耳に近づけられ押しつけられた結果、子機３１のマイクロホン４１からユーザの口が離れ、集音レベルが上げられる。
【００５１】
また、図５（ａ）に示す状態から、図５（ｅ）に示すように、子機３１のスピーカ４２がユーザの耳に近づけられると、放音レベルが下げられる。そして、子機３１のスピーカ４２がユーザの耳に近づけられた結果、子機３１のマイクロホン４１からユーザの口が遠くに離れ、集音レベルが大きく上げられる。
【００５２】
ここで、図２に戻り、子機３１の電気的構成の説明を続ける。ＲＡＭ３４は、各種のデータを一時的に記憶するための書換可能なメモリである。ＲＡＭ３４には、基準接近パターンメモリ３４ａと、通話中接近パターンメモリ３４ｂと、待機時間メモリ３４ｃとが設けられている。
【００５３】
無線通信制御回路３７は、無線通信用アンテナ３８を有しており、ＭＦＰ１の無線通信制御回路１９との間で無線通信３００を実行し、ＭＦＰ１との間でデータ通信や、音信号などの送受信を可能にする既知の回路である。
【００５４】
次に、図６を参照して、子機３１のＣＰＵ３２により実行される通話処理について説明する。図６は、子機３１の通話処理を示すフローチャートである。この通話処理は、通話中に変化する接近パターンに応じて、子機３１の集音レベルおよび放音レベルを適切な大きさに設定するための処理であり、通話が開始された場合に実行され、通話が終了するまで繰り返し実行される処理である。
【００５５】
この通話処理では、まず、基準接近パターン決定処理を実行する（Ｓ１）。ここで、図７を参照して、子機３１のＣＰＵ３２により実行される基準接近パターン決定処理について説明する。図７は、子機３１の基準接近パターン決定処理を示すフローチャートである。
【００５６】
基準接近パターン決定処理は、通話開始後、ユーザが子機３１を保持する姿勢が安定した場合の接近パターンに基づいて、通話処理（図６参照）で使用する基準接近パターンを決定するための処理である。
【００５７】
基準接近パターン決定処理では、まず、タッチパネル４０によって検出されている接近パターン（接近（又は接触）が検出されている領域）を取得する（Ｓ１１）。そして、取得した接近パターンを、通話中接近パターンとして、ＲＡＭ３４の通話中接近パターンメモリ３４ｂに記憶する（Ｓ１２）。
【００５８】
次に、ＲＡＭ３４の待機時間メモリ３４ｃを初期化して、タイマー計測を開始する（Ｓ１３）。具体的には、タイマー計測が終了するまでの間、定期的（例えば、１００ｍｓ毎）に待機時間メモリ３４ｃの値を更新して、計測開始からの経過時間をカウントする。
【００５９】
次に、タッチパネル４０によって検出されている接近パターンを取得し（Ｓ１４）、その取得した接近パターンが、通話中接近パターンメモリ３４ｂに記憶されている通話中接近パターンと同じであるかを判定する（Ｓ１５）。
【００６０】
Ｓ１５の処理において、取得した接近パターンが、通話中接近パターンメモリ３４ｂに記憶されている通話中接近パターンと異なる場合は（Ｓ１５：Ｎｏ）、Ｓ１４の処理で取得した接近パターンを、新たな通話中接近パターンとして、通話中接近パターンメモリ３４ｂに記憶する（Ｓ１６）。そして、待機時間メモリ３４ｃを初期化して（Ｓ１７）、タイマー計測を初めからやり直す。
【００６１】
一方、Ｓ１５の処理において、取得した接近パターンが、通話中接近パターンメモリ３４ｂに記憶されている通話中接近パターンと同じ場合は（Ｓ１５：Ｙｅｓ）、Ｓ１６〜Ｓ１７の処理をスキップして、Ｓ１８の処理へ移行する。
【００６２】
次に、待機時間メモリ３４ｃの経過時間が、所定時間（例えば、１０秒）を超えたかを判定し（Ｓ１８）、所定時間を超えていない場合は（Ｓ１８：Ｎｏ）、ユーザが子機３１を保持する姿勢が変化しており、まだ安定していない場合であるので、Ｓ１４の処理に戻り、上述したＳ１４〜Ｓ１８の各処理を繰り返す。
【００６３】
一方、Ｓ１８の処理において、待機時間メモリ３４ｃの経過時間が、所定時間を超えた場合は（Ｓ１８：Ｙｅｓ）、ユーザが子機３１を保持する姿勢が安定した場合であるので、タイマー計測を終了する（Ｓ１９）。
【００６４】
次に、ＲＯＭ３３の基準接近パターン登録メモリ３３ａに記憶されている基準接近パターンの中から、ＲＡＭ３４の通話中接近パターンメモリ３４ｂに記憶されている通話中接近パターンに最も近いパターンを取得する（Ｓ２０）。そして、取得した基準接近パターンを、基準接近パターンメモリ３４ａに記憶して（Ｓ２１）、この基準接近パターン決定処理を終了する。
【００６５】
以上の図６のフローチャートの基準接近パターン決定処理により、通話開始後、ユーザが子機３１を保持する姿勢が安定した場合の接近パターンを取得し、その取得した接近パターンに最も近い基準接近パターンを選択して、基準接近パターンメモリ３４ａに記憶することができる。
【００６６】
ここで、図６のフローチャートの説明に戻る。基準接近パターン決定処理（Ｓ１）が終了したら、次に、タッチパネル４０によって検出されている接近パターン（接近（又は接触）が検出されている領域）を取得して（Ｓ２）、その取得した接近パターンを、通話中接近パターンとして、通話中接近パターンメモリ３４ｂに記憶する（Ｓ３）。
【００６７】
そして、基準接近パターンメモリ３４ａに記憶されている基準接近パターンを基準として、その基準接近パターンと、通話中接近パターンメモリ３４ｂに記憶されている通話中接近パターンとを比較する（Ｓ４）。
【００６８】
次に、基準接近パターンと、通話中接近パターンとが同じであるかを判定し（Ｓ５）、基準接近パターンと、通話中接近パターンとが異なる場合は（Ｓ５：Ｎｏ）、パターン変化対応処理テーブルメモリ３３ｂのパターン変化対応処理テーブルにおける各処理の中で、Ｓ４の処理の比較結果に対応する処理を実行する（Ｓ６）。
【００６９】
例えば、Ｓ４の処理において、基準近接パターンと通話中接近パターンとが比較された結果、「マイク方向に近づいた」と判定されると、「集音レベルを下げる、放音レベルを上げる」（図３参照）という処理が実行される。
【００７０】
また、例えば、通話中にユーザが子機３１を顔から離した場合は、タッチパネル４０内において、接近（又は接触）が検出されなくなる。よって、Ｓ４の処理では、「接近が無くなった」と判定され、その結果、「スピーカホンモードに設定される」。なお、スピーカホンモードとは、ユー切替えザが子機３１を手で持たなくても通話が行えるモード（ハンズフリーモード）のことである。このように、通話中にユーザが子機３１を顔から離した場合には、スピーカホンモードに設定することで、漏れなく通話を継続することができる。
【００７１】
なお、子機３１がスピーカホンモードに設定されると、その状態は、タッチパネル４０内において、再び接近（又は接触）が検出されるまで継続される。言い換えると、タッチパネル４０内において、再び接近（又は接触）が検出されると、その後は、通常の状態に戻る。
【００７２】
Ｓ５の処理において、基準接近パターンと、通話中接近パターンとが同じ場合は（Ｓ５：Ｙｅｓ）、接近パターンが変化していない（領域の移動や、面積の変化がない）場合であるので、Ｓ６の処理をスキップして、Ｓ７の処理に移行する。
【００７３】
次に、通話が終了したかを判定し（Ｓ７）、通話中である場合は（Ｓ７：Ｎｏ）、Ｓ２の処理に戻り、上述したＳ２〜Ｓ７の各処理を繰り返す。一方、Ｓ７の処理において、通話が終了した場合は（Ｓ７：Ｙｅｓ）、この通話処理を終了する。
【００７４】
以上の図６のフローチャートの通話処理により、回線が閉結された後、所定時間以上維持された接近パターンに最も近い基準接近パターンを基準としているので、その基準から子機３１の姿勢が変化したとしても、その変化後の送話音量、受話音量を、基準における送話音量、受話音量に調整することができる。
【００７５】
即ち、一般的に、回線が閉結された場合には、通話相手の音量や、周囲の環境によって最良の送話音量、受話音量になるように子機３１の姿勢を調整し、良好な送話音量、受話音量になった時点で、子機３１の姿勢が維持される。よって、その維持しようとしている子機３１の姿勢に最も近い基準接近パターンを基準とすることで、仮に、長時間通話により、その姿勢を維持することが困難になり、通話途中で子機３１の姿勢を変化したとしても、その変化後の姿勢における送話音量、受話音量を、基準における良好な送話音量、受話音量に調整することができる。
【００７６】
以上、実施形態に基づき本発明を説明したが、本発明は上述した実施形態に何ら限定されるものではなく、本発明の趣旨を逸脱しない範囲内で種々の改良変更が可能であることは容易に推察できるものである。
【００７７】
例えば、本実施形態では、受話器は子機３１のみであるが、ＭＦＰ１（親機）にも受話器（有線、無線に関わらず）を設けて、その受話器でも子機３１と同様の制御を行って、ＭＦＰ１の受話器の集音レベルおよび放音レベルが適切な大きさに設定されるように構成しても良い。具体的には、ＭＦＰ１（親機）の受話器にタッチパネル４０を配設し、そのタッチパネル４０で接近パターンを検出し、通話中に変化する接近パターンに応じて、ＭＦＰ１（親機）の受話器の集音レベルおよび放音レベルを適切な大きさに設定する。このようにすれば、ＭＦＰ１（親機）に受話器が設けられている場合に、その受話器の集音レベルおよび放音レベルを適切な大きさに設定することができる。
【００７８】
また、本実施形態では、主に、子機３１が顔の側面に近づく場合や、子機３１が顔の側面から離れる場合について説明したが（図４および図５参照）、ユーザの耳の位置（即ち、子機３１のスピーカ４２の位置）を中心軸として、子機３１が回転される場合でも、子機３１の集音レベルおよび放音レベルを適切な大きさに設定することができる。例えば、子機３１のスピーカ４２を中心軸として、子機３１が回転されると、子機３１のマイクロホン４１が、ユーザの口に近づいたり、ユーザの口から離れたりする。このような場合でも、基準接近パターンを基準として、基準接近パターンと通話中接近パターンとが比較されるので、例えば、マイク方向に面積が増加していれば、集音レベルが下げられる。よって、子機３１のスピーカ４２を軸として、子機３１が回転される場合でも、子機３１の集音レベルおよび放音レベルを適切な大きさに設定することができる。
【００７９】
また、本実施形態では、ＲＯＭ３３の基準接近パターン登録メモリ３３ａに、予め複数の基準接近パターンを格納しているが、この基準接近パターン登録メモリ３３ａを止めて、通話開始後、ユーザが子機３１を保持する姿勢が安定した場合の接近パターンを取得したら、その取得した接近パターンを基準接近パターンとして、基準接近パターンメモリ３４ａに記憶するように構成しても良い。このように構成すれば、基準接近パターン登録メモリ３３ａが不用となるので、ＲＯＭ３３の空き容量を増やすことができ、他の処理に関するプログラムなどを追加することができる。
【００８０】
また、本実施形態では、投影型静電容量方式のタッチパネル４０を用いているが、検出方式は何ら限定しない。例えば、指の接触を圧力センサで検知する方式のタッチパネルを用いても良いし、指の接近（又は接触）を赤外線や電界で検知する方式のタッチパネルを用いても良い。
【００８１】
また、本実施形態では、子機３１の前面のほぼ全体に、ＬＣＤ３９およびタッチパネル４０を配設しているが、一般的な受話器のように、子機３１の前面にボタンが配設されている場合には、そのボタンの表面（上面）や、そのボタンの周囲にタッチパネル４０を配設するように構成しても良い。
【００８２】
また、本実施形態では、子機３１の前面のほぼ全体に、ＬＣＤ３９およびタッチパネル４０を配設しているが、少なくとも子機３１のスピーカ４２周辺と、子機３１のマイクロホン４１周辺とにタッチパネル４０が配設されていれば、ユーザの顔が接近（又は接触）している領域（接近パターン）を検出できるので、領域の移動方向や面積の変化に応じて、通話装置の集音レベルおよび放音レベルの調整を行うことができる。
【００８３】
また、本実施形態のパターン変化対応処理テーブルでは、基準接近パターンとの比較結果と、その比較結果となった場合に実行する処理とを９種類設けているが（図３参照）、比較結果の種類をさらに増やし、実行する処理をより詳細に定めても良い。比較結果の種類を増やして、実行する処理をより詳細にすることで、子機３１の集音レベルおよび放音レベルをより細かく設定することができるので、集音レベルおよび放音レベルの変化幅をより小さくすることができる。
【００８４】
また、本実施形態では、通話装置をコードレス式の子機３１とした場合の一例について説明したが、通話装置を子機３１に限定するものではない。通話装置は通話可能に構成されているものなら何でも良く、例えば、有線でＭＦＰ１（親機）に接続される受話器でも良いし、携帯電話でも良いし、トランシーバなどの無線機でも良い。
【図面の簡単な説明】
【００８５】
【図１】本発明の通話装置の一例である子機と、その子機の親機を有するＭＦＰとの外観構成を示した斜視図である。
【図２】ＭＦＰおよび子機の電気的構成を示すブロック図である。
【図３】パターン変化対応処理テーブルの内容の一例を示す概略図である。
【図４】基準接近パターンの一例と、通話中接近パターンの一例とを説明するための概略図である。
【図５】基準接近パターンの一例と、通話中接近パターンの一例とを説明するための概略図である。
【図６】子機の通話処理を示すフローチャートである。
【図７】子機の基準接近パターン決定処理を示すフローチャートである。
【符号の説明】
【００８６】
３１      子機（通話装置の一例）
３２      ＣＰＵ（制御手段の一例）
３４ａ    基準接近パターンメモリ（基本状態記憶手段の一例）
３４ｂ    通話中接近パターンメモリ（変化パターン記憶手段の一例）
３９      ＬＣＤ（表示手段の一例）
４０      タッチパネル（検出手段の一例）
４１      マイクロホン（集音手段の一例）
４２      スピーカ（放音手段の一例）
４９      筐体の一例
Ｓ２      検出手段の一例
Ｓ４      状態変化取得手段の一例
Ｓ６      レベル調整量決定手段の一例、特定手段の一例
Ｓ１４〜Ｓ１８    状態判断手段の一例
【図１】
2010154407.tif 000003
【図２】
2010154407.tif 000004
【図３】
2010154407.tif 000005
【図４】
2010154407.tif 000006
【図５】
2010154407.tif 000007
【図６】
2010154407.tif 000008
【図７】
2010154407.tif 000009